(57)【要約】【課題】  コンベアで搬送しながらタンク部材の内面を確実に洗浄・乾燥させることができるタンク洗浄装置を提供する。【解決手段】  コンベア４でタンク部材１を搬送中に、タンク部材１の内面１ｃに洗浄ノズル８により洗浄液８ａを下方から噴出させた後に、乾燥ノズル９によりエア９ａを下方から噴出させ、タンク部材１の内面１ｃの洗浄・乾燥を行うタンク洗浄装置であって、コンベアベルト４に載置されて搬送されるタンク部材１の一端部であるフランジ１ｂが洗浄ノズル８及び乾燥ノズル９と干渉しないようフランジ１ｂを持ち上げて摺動させるガイドバー５を設け、このガイドバー５の摩擦抵抗をコンベアベルト４の摩擦抵抗より小さくした。ガイドバー５は、タンク部材１の内側の中心部近傍に設置した洗浄ノズル８及び乾燥ノズル９の左右に設けた。【選択図】        図２
2008264676.tif 000002
【特許請求の範囲】
【請求項１】
コンベアでタンク部材を搬送中に、タンク部材の内面に洗浄ノズルにより洗浄液を下方から噴出させた後に、乾燥ノズルによりエアを下方から噴出させ、タンク部材内面の洗浄・乾燥を行うタンク洗浄装置であって、コンベアベルトに載置されて搬送されるタンク部材の一端部が前記洗浄ノズル及び乾燥ノズルと干渉しないよう前記一端部を持ち上げて摺動させるガイドバーを設け、このガイドバーはコンベアベルトより摩擦抵抗が小さいことを特徴とするタンク洗浄装置。
【請求項２】
前記ガイドバーは、前記洗浄ノズル及び乾燥ノズルの左右に設けた請求項１記載のタンク洗浄装置。
【発明の詳細な説明】
【技術分野】
【０００１】
本発明は、略袋状のタンク部材をコンベアで搬送しながら、タンク部材の内面に洗浄液を噴射した後に、エアを噴射してタンク部材の内面を洗浄・乾燥させるタンク洗浄装置に関する。
【背景技術】
【０００２】
従来の技術としては、自動二輪車の略袋状のタンク部材をコンベアで搬送しながら、タンク部材の内面に洗浄液を噴射した後、エアを噴射してタンク部材の内面を乾燥させる洗浄装置が知られている。
また、搬送されるパレット上の製品を停止且つ傾斜させて、製品の下面全体に洗浄液やエアを噴射させて洗浄・乾燥させる装置が知られている（例えば、特許文献１参照）。
【０００３】
【特許文献１】実開平０２−１２９２９１号公報
【発明の開示】
【発明が解決しようとする課題】
【０００４】
しかし、前者の技術においては、タンク部材の形状から洗浄ノズル及び乾燥（エア）ノズルをコンベア中央の所望な位置に設置することができない。そのため、略袋状になっているタンク部材の内面の洗浄と乾燥が充分に行えない。更に、タンク部材の内面に付着した洗浄液が除去できなかったり、エアで飛ばされた洗浄液がコンベア上に残ったりするという問題があった。
また、後者の技術においては、パレット上に載置されて搬送される製品の搬送を停止させ、その姿勢を変えて洗浄・乾燥を行うため、コンベアで搬送させながら洗浄・乾燥を行う生産方式に比べ生産性の面で問題があった。
【０００５】
本発明は、従来の技術が有するこのような問題点に鑑みてなされたものであり、その目的とするところは、コンベアで搬送しながらタンク部材の内面を確実に洗浄・乾燥させることができるタンク洗浄装置を提供しようとするものである。
【課題を解決するための手段】
【０００６】
上記課題を解決すべく請求項１に係る発明は、コンベアでタンク部材を搬送中に、タンク部材の内面に洗浄ノズルにより洗浄液を下方から噴出させた後に、乾燥ノズルによりエアを下方から噴出させ、タンク部材内面の洗浄・乾燥を行うタンク洗浄装置であって、コンベアベルトに載置されて搬送されるタンク部材の一端部が前記洗浄ノズル及び乾燥ノズルと干渉しないよう前記一端部を持ち上げて摺動させるガイドバーを設け、このガイドバーの摩擦抵抗（摩擦係数）をコンベアベルトの摩擦抵抗（摩擦係数）よりも小さくしたものである。
【０００７】
請求項２に係る発明は、請求項１記載のタンク洗浄装置において、前記ガイドバーを、前記洗浄ノズル及び乾燥ノズルの左右に設ける構成とした。
【発明の効果】
【０００８】
請求項１に係る発明によれば、搬送中にタンク部材の一端部がガイドバーにより持ち上げられるので、タンク部材の一端部が洗浄ノズル及び乾燥ノズルと干渉することがないため、洗浄ノズル及び乾燥ノズルを搬送されていくタンク部材に対して所望な位置に設置することが可能になり、タンク部材の内面の洗浄・乾燥を確実に行うことができ、品質の向上が図れる。また、ガイドバーの摩擦抵抗をコンベアベルトの摩擦抵抗よりも小さくしたので、タンク部材は、その一端部がガイドバーを摺動しながら、コンベアベルトの摩擦抵抗により円滑に搬送される。
【０００９】
請求項２に係る発明によれば、タンク部材の形状に対応させてガイドバーを洗浄ノズル及び乾燥ノズルの左右に設けたので、タンク部材の一端部が安定した状態で持ち上げられ、タンク部材の一端部と洗浄ノズル及び乾燥ノズルの干渉を確実に回避することができる。
【発明を実施するための最良の形態】
【００１０】
以下に本発明の実施の形態を添付図面に基づいて説明する。ここで、図１はタンク部材の概要斜視図、図２は本発明に係るタンク洗浄装置の概要側面図、図３は同じく概要正面図である。
【００１１】
本発明に係るタンク洗浄装置の洗浄・乾燥の対象となるタンク部材（タンク構成部材）１は、図１に示すように、流線型で略袋状の形状をなし、前端には略アーチ状の開口部１ａが形成され、後端（一端部）には開口することなくフランジ１ｂが形成されている。洗浄・乾燥の対象となるのは、タンク部材１の内面１ｃである。このようなタンク部材１に他のタンク部材を溶接等で接着して自動二輪車の燃料タンクを形成する。
【００１２】
そして、本発明に係るタンク洗浄装置は、図２と図３に示すように、フレーム枠体２の上部に、進行方向に向かって下る傾斜を設けたコンベア３を取り付け、コンベア３のコンベアベルト４に沿って断面が円形で所定長さのガイドバー５を左右に２本配設している。また、左右２本のガイドバー５に挟まれ、且つコンベアベルト４の動きの妨げにならないように、洗浄用配管６と乾燥用配管７がコンベアベルト４の中央部に対向して配設されている。コンベア３は矢印Ａ方向へタンク部材１を搬送する。
【００１３】
洗浄用配管６には、タンク部材１の内側の中心部近傍の位置に洗浄ノズル８が斜め上方に向けて複数取り付けられ、乾燥用配管７には、タンク部材１の内側の中心部近傍の位置に乾燥ノズル９が斜め上方に向けて複数取り付けられている。乾燥ノズル９は、洗浄ノズル８が洗浄液８ａをタンク部材１の内面１ｃに噴射した後に、エア９ａを内面１ｃに噴射するよう洗浄ノズル８よりも下流に設けられている。また、洗浄ノズル８と乾燥ノズル９は、搬送されてくるタンク部材１と干渉しないために、左右２本のガイドバー５よりも低くなるよう洗浄用配管６又は乾燥用配管７に取り付けられている。
【００１４】
更に、タンク部材１の後端であるフランジ１ｂがガイドバー５により持ち上げられて、フランジ１ｂとガイドバー５が接触状態になっても、コンベアベルト４によるタンク部材１の円滑な搬送が妨げられることがないよう、フランジ１ｂにはガイドバー５上を摺動させ、コンベアベルト４と接触しているタンク部材１の先端部１ｄにはコンベアベルト４上を摺動させないために、ガイドバーの摩擦抵抗（摩擦係数）をコンベアベルトの摩擦抵抗（摩擦係数）よりも小さくしている。なお、１０は制御盤、１１は非常停止押ボタンである。
【００１５】
以上のように構成された本発明に係るタンク洗浄装置の動作について説明する。上流からタンク部材１が搬送され、開口部１ａを前にして洗浄装置に搬入されると、タンク部材１は２本のガイドバー５を跨いだ状態になる。そして、図３に示すように、２本のガイドバー５がタンク部材１の後端であるフランジ１ｂを持ち上げ、タンク部材１は左右の先端部１ｄがコンベアベルト４で、フランジ１ｂが２本のガイドバー５で支持される。すると、フランジ１ｂはガイドバー５上を摺動し、タンク部材１の先端部１ｄはコンベアベルト４上を摺動することなく、タンク部材１は矢印方向に搬送されていく。
【００１６】
そして、洗浄ノズル８がタンク部材１の内面１ｃを臨む位置まで、タンク部材１が搬送されてくると、洗浄ノズル８から洗浄液８ａがタンク部材１の内面１ｃに向かって噴射され、タンク部材１が洗浄ノズル８を通過するまで、タンク部材１の内面１ｃが洗浄液８ａの噴射によって洗浄される。洗浄ノズル８は、タンク部材１の内側の中心部近傍の位置に設けられているので、タンク部材１の内面１ｃを満遍なく洗浄液８ａの噴射によって洗浄することができる。
【００１７】
次いで、タンク部材１が洗浄ノズル８を通過し、乾燥ノズル９がタンク部材１の内面１ｃを臨む位置まで、タンク部材１が搬送されてくると、直ちに乾燥ノズル９からエア９ａがタンク部材１の内面１ｃに向かって噴射され、タンク部材１が乾燥ノズル９を通過するまで、タンク部材１の内面１ｃがエア９ａの噴射によって乾燥される。乾燥ノズル９はタンク部材１の内側の中心部近傍の位置に設けられているので、タンク部材１の内面１ｃを満遍なくエア９ａの噴射によって乾燥することができる。
【００１８】
そして、タンク部材１の内面１ｃに対する洗浄・乾燥作業が終了し、フランジ１ｂが２本のガイドバー５から外れると、タンク部材１はコンベアベルト４に完全に載置され、下流へと搬送されていく。このように、本発明に係るタンク洗浄装置は、コンベア方式であるため、多機種に対応でき、専用の治具も必要としない。
【産業上の利用可能性】
【００１９】
前端に開口部１ａが形成され、後端にフランジ１ｂが形成されているタンク部材１であれば、その内面１ｃの洗浄・乾燥を確実に行うことができるため品質の向上に寄与し、更に専用治具を必要とすることなくコンベアで搬送しながら洗浄・乾燥を行うことができるため生産性の向上に寄与するので、適用の拡大が期待される。
【図面の簡単な説明】
【００２０】
【図１】タンク部材の概要斜視図
【図２】本発明に係るタンク洗浄装置の概要側面図
【図３】本発明に係るタンク洗浄装置の概要正面図
【符号の説明】
【００２１】
１…タンク部材、１ａ…開口部、１ｂ…フランジ、１ｃ…内面、３…コンベア、４…コンベアベルト、５…ガイドバー、８…洗浄ノズル、８ａ…洗浄液、９…乾燥ノズル、９ａ…エア。
【図１】
2008264676.tif 000003
【図２】
2008264676.tif 000004
【図３】
2008264676.tif 000005